(57)【要約】【課題】  リニアモータのアウタコア組立構造を提供する。【解決手段】  第１及び第２アウタコアブロック６２，６３をなす複数枚のコアシートのうち少なくとも一枚を、残りのコアシートよりも長さが延長された延長コアシート７０，７１，７２とすることによって、前記第１アウタコアブロック６２と第２アウタコアブロック６３の組み立てにあたり、位置固定を容易するだけでなく、強固に固定されるようにしたので、別途の補強カバーが省かれ、組立の簡便化及び低コストを実現することができる。【選択図】      図５
2006314187.tif 000002
【特許請求の範囲】
【請求項１】
複数枚のコアシートが各々積層され、向かい合うように配置された第１及び第２アウタコアブロックからなるアウタコアと、該アウタコアに備えられたコイルとを備えてなり、
前記複数枚のコアシートのうち少なくともいずれか一枚は、残りのコアシートよりも長さが延長された延長コアシートであることを特徴とするリニアモータのアウタコア組立構造。
【請求項２】
前記延長コアシートが、前記複数枚のコアシートのうちの最も外側に積層されたことを特徴とする請求項１に記載のリニアモータのアウタコア組立構造。
【請求項３】
前記延長コアシートが、前記第１アウタコアブロックをなす第１延長コアシートと、前記第２アウタコアブロックをなす第２延長コアシートとから構成されたことを特徴とする請求項２に記載のリニアモータのアウタコア組立構造。
【請求項４】
前記第１延長コアシートが、前記アウタコアの前面、後面のいずれか一面に配置され、前記第２延長コアシートは他の面に配置されることを特徴とする請求項３に記載のリニアモータのアウタコア組立構造。
【請求項５】
前記複数枚のコアシートのいずれか一枚が、前記延長コアシートに対応するように残りのコアシートよりも長さが縮小された縮小コアシートであることを特徴とする請求項４に記載のリニアモータのアウタコア組立構造。
【請求項６】
前記縮小コアシートが、前記延長コアシートの末端と接するように、前記延長コアシートの延びた長さ分だけ長さが縮小されたことを特徴とする請求項５に記載のリニアモータのアウタコア組立構造。
【請求項７】
前記縮小コアシートが、前記第１アウタコアブロックをなし、前記第２延長コアシートに対応する第１縮小コアシートと、前記第２アウタコアブロックをなし、前記第１延長コアシートに対応する第２縮小コアシートとから構成されたことを特徴とする請求項６に記載のリニアモータのアウタコア組立構造。
【請求項８】
前記リニアモータの前方には、シリンダが備えられたシリンダブロックが配置され、前記リニアモータの後方には、前記アウタコアを固定するためのステータカバーが配置されたことを特徴とする請求項７に記載のリニアモータのアウタコア組立構造。
【請求項９】
前記シリンダブロックとステータカバーは、前記アウタコアに軸方向の圧縮力が働くように締結部材により軸方向に締結固定されたことを特徴とする請求項８に記載のリニアモータのアウタコア組立構造。
【請求項１０】
前記リニアモータは、前記アウタコアが放射状に複数個配置され、前記コイルの巻回されたボビンをさらに備えることを特徴とする請求項９に記載のリニアモータのアウタコア組立構造。
【発明の詳細な説明】
【技術分野】
【０００１】
本発明は、リニアモータに係り、特に、複数枚のコアシートのうち少なくとも一枚を、残りのコアシートよりも長さが延長された延長コアシートとすることによって、第１アウタコアブロックと第２アウタコアブロックの組み立てにあたって位置固定を容易にし、かつ、強固に固定することができるリニアモータのアウタコア組立構造に関する。
【背景技術】
【０００２】
一般に、リニア圧縮機(Linear compressor)は、リニアモータの直線駆動力を用いてシリンダ内部でピストンを直線往復運動させながら冷媒ガスなどの流体(以下、単に流体と略す。)を吸入し、圧縮してから吐出する。
【０００３】
図１は、従来技術によるリニアモータが備えられたリニア圧縮機を示す縦断面図であり、図２は、従来技術によるアウタコアとボビンの組立構造を示す概略図であり、図３は、従来技術によるアウタコアがボビンに組み立てられた状態を示す拡大斜視図である。
【０００４】
従来技術によるリニアモータが備えられたリニア圧縮機は、図１に示すように、シェル２と、該シェル２の内部に配置されて流体を圧縮するリニア圧縮部４と、から構成される。
【０００５】
リニア圧縮部４は、シリンダ６が設けられたシリンダブロック８と、流体吸入口１０が形成されたバックカバー１２と、シリンダ６の内部で直線往復可能に配置されたピストン１４と、ピストン１４をシリンダ６内で直線往復運動させるように駆動力を発生するリニアモータ２０と、シリンダ６の前方に配置され、シリンダ６で圧縮された流体を吐出させる吐出バルブアセンブリ３０と、から構成される。
【０００６】
リニアモータ２０は、図１ないし図３に示すように、大きくは、固定子と可動子とからなる。
【０００７】
固定子は、アウタコア２１と、アウタコア２１から隙間をおいて配置されたインナコア２４と、アウタコア２１が取り付けられるボビン２５と、ボビン２５に巻回されて磁場を形成するコイル２６と、からなる。
【０００８】
アウタコア２１は、複数枚のコアシートが各々積層された２個の第１及び第２アウタコアブロック２２，２３から構成され、第１及び第２アウタコアブロック２２，２３は向かい合ったまま接する構造に配置される。
【０００９】
アウタコア２１は、複数個がボビン２５の外周面に円周方向に沿って所定間隔で配置される。
【００１０】
ボビン２５とアウタコア２１の外周面には、第１及び第２アウタコアブロック２２，２３を固定させるとともに、剛性を補強するように補強カバー２７がオーバーモールディングにより被せられる。
【００１１】
可動子は、アウタコア２１とインナコア２４との間においてアウタコア２１及びインナコア２４と隙間をおいて配置されるマグネット２８と、マグネット２８が固定されるマグネットフレーム２９と、からなる。
【００１２】
一方、リニアモータ２０の前方にはシリンダブロック８が配置され、リニアモータ２０の後方にはアウタコア２１を固定させるステータカバー３２が配置される。
【００１３】
シリンダブロック８とステータカバー３２は、アウタコア２１に軸方向の圧縮力が働くようにボルト３４とナット３６により軸方向に締結固定される。
【００１４】
次に、上記のように構成された従来技術によるリニアモータが備えられたリニア圧縮機の動作について説明する。
【００１５】
まず、コイル２６に電圧が印加されると、コイル２６の周辺に形成された磁気力によりマグネット２８が直線往復運動をするようになり、この直線往復運動がマグネット２８を介してピストン１４に伝達され、これにより、ピストン１４がシリンダ６の内部で直線往復運動をする。
【００１６】
ピストン１４が直線往復運動をすると、シェル２内部の流体がバックカバー１２の流体吸入口１０から吸入され、シリンダ６の内部でピストン１４により圧縮された後に、吐出バルブアセンブリ３０を通ってシェル２の外部へ吐出される。
【００１７】
しかしながら、従来技術によるリニアモータは、第１アウタコアブロック２２と第２アウタコアブロック２３の接触時に、第１アウタコアブロック２２と第２アウタコアブロック２３の前面と後面が各々一直線上に配置されずにずれてしまうため、位置固定が難しく、安定した締結力を維持し難い、という問題点があった。
【００１８】
一方、第１及び第２アウタコアブロック２２，２３とボビン２５の外周面に補強カバー２７を被せると、この補強カバー２７の製作工程が複雑で、品質管理が難しいため、コスト高につながる問題点があった。
【発明の開示】
【発明が解決しようとする課題】
【００１９】
本発明は、上記の問題点を解決するためのもので、その目的は、アウタコアの組み立てが簡便で、低コストとなるリニア圧縮機のアウタコア組立構造を提供することにある。
【課題を解決するための手段】
【００２０】
上記目的を達成するために、本発明に係るリニア圧縮機は、複数枚のコアシートが各々積層され、向かい合うように配置された第１及び第２アウタコアブロックからなるアウタコアと、該アウタコアに備えられたコイルとを備えてなり、前記複数枚のコアシートのうち少なくとも一枚は、残りのコアシートよりも長さが延長された延長コアシートであることを特徴とする。
【００２１】
前記延長コアシートは、前記複数枚のコアシートのうちの最も外側に積層されたことを特徴とする。
【００２２】
前記延長コアシートは、前記第１アウタコアブロックをなす第１延長コアシートと、前記第２アウタコアブロックをなす第２延長コアシートとから構成されたことを特徴とする。
【００２３】
前記第１延長コアシートは、前記アウタコアの前面、後面のいずれか一面に配置され、前記第２延長コアシートは他の面に配置されることを特徴とする。
【００２４】
前記複数枚のコアシートのいずれか一枚は、前記延長コアシートに対応するように残りのコアシートよりも長さが縮小された縮小コアシートであることを特徴とする。
【００２５】
前記縮小コアシートは、前記延長コアシートの末端と接するように、前記延長コアシートの延びた長さ分だけ長さが縮小されたことを特徴とする。
【００２６】
前記縮小コアシートは、前記第１アウタコアブロックをなし、前記第２延長コアシートに対応する第１縮小コアシートと、前記第２アウタコアブロックをなし、前記第１延長コアシートに対応する第２縮小コアシートとから構成されたことを特徴とする。
【００２７】
前記リニアモータの前方には、シリンダが備えられたシリンダブロックが配置され、前記リニアモータの後方には、前記アウタコアを固定するためのステータカバーが配置されたことを特徴とする。
【００２８】
前記シリンダブロックとステータカバーは、前記アウタコアに軸方向の圧縮力が働くように締結部材により軸方向に締結固定されたことを特徴とする。
【００２９】
前記リニアモータは、前記アウタコアが放射状に複数個配置され、前記コイルの巻回されたボビンをさらに備えることを特徴とする。
【発明の効果】
【００３０】
本発明のリニアモータのアウタコア組立構造によれば、第１及び第２アウタコアブロックをなす複数枚のコアシートのうち少なくとも一枚が、残りのコアシートよりも長さが延長された延長コアシートで構成されるため、第１アウタコアブロックと第２アウタコアブロックの組み立てにおける位置固定が容易となり、かつ強固に固定される利点が得られるだけでなく、別途の補強カバーが省かれるので組み立ての簡便化、及び低コスト化を図ることが可能になる。
【発明を実施するための最良の形態】
【００３１】
以下、本発明の好適な実施の形態について、添付の図面に基づいて詳細に説明する。
【００３２】
図４は、本発明によるリニアモータが備えられたリニア圧縮機の縦断面図であり、図５は、本発明によるアウタコアがボビンに組み立てられた状態を示す拡大斜視図であり、図６は、本発明によるアウタコアを示す正面図であり、図７は、図６のＡ方向から見たアウタコアを示す平面図である。
【００３３】
本発明によるリニアモータが備えられたリニア圧縮機は、図４ないし図７に示すように、シェル５０と、シェル５０の内部に配置されて流体を圧縮するリニア圧縮部５１とから構成される。
【００３４】
リニア圧縮部５１は、シリンダ５２が設けられたシリンダブロック５３と、流体吸入口５４が形成されたバックカバー５５と、シリンダ５２の内部で直線往復可能に配置されたピストン５６と、ピストン５６をシリンダ５２で直線往復させるように駆動力を発生するリニアモータ６０と、シリンダ５２の前方に設置され、シリンダ５２で圧縮された流体を吐出させる吐出バルブアセンブリ５７と、から構成される。
【００３５】
シリンダブロック５３とバックカバー５５は、シェル５０の内部下側に装着されたダンパ５８により緩衝可能に支持される。
【００３６】
一方、リニアモータ６０は、大きくは、固定子と可動子とからなる。
【００３７】
固定子は、アウタコア６１と、アウタコア６１と一定隙間をおいて配置されたインナコア６４と、アウタコア６１が取り付けられたボビン６５と、該ボビン６５に巻回されて磁場を形成するコイル６６と、からなり、可動子は、アウタコア６１とインナコア６４との間に配置されたマグネット６７と、該マグネット６７が固定されたマグネットフレーム６８と、からなる。
【００３８】
アウタコア６１は、複数個がボビン６５の外周面に円周方向に沿って所定の間隔で配置される。
【００３９】
アウタコア６１は、向かい合ったまま一側面が触れ合うように配置された第１及び第２アウタコアブロック６２，６３とから構成される。
【００４０】
第１及び第２アウタコアブロック６２，６３は各々、鋼板からなる複数枚のコアシートが積層後に接合されてブロック形状となったものである。
【００４１】
ここで、複数枚のコアシートのうち少なくとも一枚は、残りのコアシートよりも長さが延長された延長コアシート７０である。
【００４２】
この延長コアシート７０は、複数枚のコアシートのうち最も外側に積層されることが好ましい。
【００４３】
一方、延長コアシート７０は、第１及び第２アウタコアブロック６２，６３のいずれかにのみ含まれても良いが、ここでは、第１及び第２アウタコアブロック６２，６３に各々含まれる例に限定して説明する。
【００４４】
すなわち、延長コアシート７０は、第１アウタコアブロック６２をなす第１延長コアシート７１と、第２アウタコアブロック６３をなす第２延長コアシート７２とから構成される。
【００４５】
第１延長コアシート７１は、アウタコア６１の前面、後面のいずれか一面に配置され、第２延長コアシート７２は、他面に配置されることが好ましく、ここでは、第１延長コアシート７１は、アウタコア６１の前面に配置され、第２延長コアシート７２は後面に配置される例に限定して説明する。
【００４６】
したがって、第１延長コアシート７１は、第２アウタコアブロック６３の前面の一部と相接するので、第２アウタコアブロック６３をなす複数枚のコアシートのいずれか一枚は、第１延長コアシート７１と対応するように、残りのコアシートよりも長さが縮小された第２縮小コアシート７４となる。
【００４７】
すなわち、図７に示すように、第２縮小コアシート７４は、第１延長コアシート７１の端部と触れ合うように、第１延長コアシート７１の延びた長さ分だけ長さが縮小されてなる。
【００４８】
また、第２延長コアシート７２は、第１アウタコアブロック６２の後面の一部に相接するので、第１アウタコアブロック６２をなす複数枚のコアシートのいずれか一枚は、第２延長コアシート７２に対応するように、残りのコアシートよりも長さが縮小された第１縮小コアシート７３となる。
【００４９】
すなわち、第１縮小コアシート７３は、第２延長コアシート７２の末端と触れ合うように、第２延長コアシート７２の延びた長さ分だけ長さが縮小されてなる。
【００５０】
一方、リニアモータ６０の前方にはシリンダブロック５３が配置され、リニアモータ６０の後方にはアウタコア６１を固定するためのステータカバー５９が配置される。
【００５１】
シリンダブロック５３とステータカバー５９は、アウタコア６１に軸方向の圧縮力が働くように、ボルト８０とナット８１により軸方向に締結固定される。
【００５２】
次に、上記の通りに構成された本発明によるリニアモータのアウタコアの組立過程について詳細に説明する。
【００５３】
まず、複数枚のコアシートを積層し、積層された複数枚のコアシートを一体化して第１及び第２アウタコアブロック６２，６３をそれぞれ作る。
【００５４】
ここで、第１アウタコアブロック６２は、前面に第１延長コアシート７１が配置され、後面に第１縮小コアシート７３が配置されるように積層される。
【００５５】
第２アウタコアブロック６３は、前面に第２縮小コアシート７４が配置され、後面には第２延長コアシート７２が配置されるように積層される。
【００５６】
そして、第１アウタコアブロック６２と第２アウタコアブロック６３を一側面が触れ合うように配置すると、第１延長コアシート７１が第２アウタコアブロック６３の前面の一部に相接し、第２延長コアシート７２は第１アウタコアブロック６２の後面の一部に相接するようになる。
【００５７】
したがって、図７に示すように、第１アウタコアブロック６２と第２アウタコアブロック６３の組み立てにあたり、第１及び第２延長コアシート７１，７２が組立位置を案内するだけでなく、前後方向にずれるのを防止し、位置固定を容易にする。
【００５８】
その後、アウタコア６１は、複数個がコイル６６の巻回されたボビン６５に放射状に配置される。
【００５９】
そして、アウタコア６１の両側にはシリンダブロック５３とステータカバー５９が配置され、シリンダブロック５３とステータカバー５９はボルト８０とナット８１により軸方向に締結固定される。
【００６０】
このときに、アウタコア６１には軸方向の圧縮力が働くことになるが、第１及び第２延長コアシート７１，７２が、第１及び第２アウタコアブロック６２，６３が前方向、後方向に各々動くのを防止するため、別途の補強カバー無しでも強固に固定される。
【図面の簡単な説明】
【００６１】
【図１】従来技術によるリニアモータが備えられたリニア圧縮機を示す縦断面図である。
【図２】従来技術によるアウタコアとボビンの組立構造を示す概略図である。
【図３】従来技術によるアウタコアがボビンに組み立てられた状態を示す拡大斜視図である。
【図４】本発明によるリニアモータが備えられたリニア圧縮機の縦断面図である。
【図５】本発明によるアウタコアがボビンに組み立てられた状態を示す拡大斜視図である。
【図６】本発明によるアウタコアを示す正面図である。
【図７】図６のＡ方向から見たアウタコアを示す平面図である。
【符号の説明】
【００６２】
５０    シェル
５１    リニア圧縮部
５２    シリンダ
５３    シリンダブロック
５４    流体吸入口
５５    バックカバー
５６    ピストン
５７    吐出部アセンブリ
５８    ダンパ
５９    ステータカバー
６０    リニアモータ
６１    アウタコア
６２    第１アウタコアブロック
６３    第２アウタコアブロック
６４    インナコア
６５    ボビン
６６    コイル
６７    マグネット
６８    マグネットフレーム
７０    延長コアシート
７１    第１延長コアシート
７２    第２延長コアシート
７３    第１縮小コアシート
７４    第２縮小コアシート
８０    ボルト
８１    ナット
【図１】
2006314187.tif 000003
【図２】
2006314187.tif 000004
【図３】
2006314187.tif 000005
【図４】
2006314187.tif 000006
【図５】
2006314187.tif 000007
【図６】
2006314187.tif 000008
【図７】
2006314187.tif 000009